(57)【要約】【課題】無人のフロアに第三者が入ることをより確実に防ぎ、また、正規の入館者が警備センサに検知されて誤報が発することを防ぐエレベータ不停止制御装置を提供する。【解決手段】テナントを警備状態、または警備解除状態に設定する警備設定部２０２と、警備状態に設定されたテナントがあるフロアに対するエレベータを不停止制御する制御装置１００に対して信号を出力する操作をする不停止操作ボタン１０１、信号を入力し、操作された不停止操作ボタン１０１の設置フロアのエレベータ停止禁止を有効にする操作不停止制御装置１０５と、を備える。【選択図】　　　図２
2004091139.tif 000002
【特許請求の範囲】
【請求項１】
複数の階床を有する建物において、警備状態に設定された領域に該当する階床に対するエレベータの停止を禁止する不停止手段と共に設けられるエレベータ不停止制御装置であって、
各階床の少なくとも一つに設置され、かつ、操作によって信号を出力する不停止操作手段と、
前記不停止操作手段による信号の出力タイミングに基づいて、前記不停止手段によるエレベータの停止禁止を、操作された不停止操作手段の設置階床に対して有効にする操作不停止制御手段と、
を備えることを特徴とするエレベータ不停止制御装置。
【請求項２】
各階床に存在する領域を警備状態、または警備解除状態に設定する警備設定手段をさらに備え、前記操作不停止制御手段は、操作された前記不停止操作手段の設置階床を前記警備設定手段が警備状態に設定するまで該設置階床に対するエレベータの停止禁止を有効にすることを特徴とする請求項１に記載のエレベータ不停止制御装置。
【請求項３】
各階床に存在する領域を警備状態、または警備解除状態に設定する警備設定手段をさらに備え、前記操作不停止制御手段は、操作された前記不停止操作手段の設置階床の警備状態を前記警備設定手段が解除に設定するまで該設置階床に対するエレベータの停止禁止を有効にすることを特徴とする請求項１に記載のエレベータ不停止制御装置。
【請求項４】
前記操作不停止制御手段は、前記不停止操作手段が操作された時点で計時を開始する計時手段をさらに備え、該計時手段が所定の時間の計時を終了するまで操作された前記不停止操作手段の設置階床に対するエレベータの停止禁止を有効にすることを特徴とする請求項１に記載のエレベータ不停止制御装置。
【請求項５】
前記操作不停止制御手段によって有効とされたエレベータの停止禁止を無効にする操作を実行するためのリセット手段を各階床の少なくとも一つに設けることを特徴とする請求項１〜４のいずれか一つに記載のエレベータ不停止制御装置。
【請求項６】
エレベータが各階床の少なくとも一つに対する停止を禁止されていることを音声および画像の少なくとも一つによって表示する不停止制御表示手段をさらに備えることを特徴とする請求項１〜５のいずれか一つに記載のエレベータ不停止制御装置。
【発明の詳細な説明】
【０００１】
【発明の属する技術分野】
この発明は、エレベータの制御装置にかかり、特に複数の階床の各々に対するエレベータの停止、不停止を開始するまでのタイムラグを解消するエレベータ不停止制御装置に関する。
【０００２】
【従来の技術】
複数の階床（フロア）がある建物における警備の一つに、エレベータを無人になった階床に停止させないように制御する方法がある。このエレベータの制御方法は、一般的に不停止制御と呼ばれている。フロアが無人となったか否かの判断は、フロアに存在するテナントが警備状態に設定されているか否かをもとに行われ、テナントが警備状態に設定された場合に無人になったと判断して当該フロアに対する不停止制御を実施する。なお、同一のフロアに複数のテナントが存在する場合は、同一のフロアのテナントが全て警備状態に設定された場合に当該フロアが無人になったと判断して不停止制御を実施する。１階の入口付近には、各テナントを警備状態に設定する警備設定装置が設けられている。
【０００３】
各テナントの最終退出者は、テナントを出た後にエレベータを使って１階に下り、自身が所属するテナントを警備状態に設定する。そして、同一のフロアにあるすべてのテナントが警備状態に設定された場合、エレベータの駆動を制御する制御装置が不停止制御を開始し、すべてのテナントが警備状態に設定されたフロアに対するエレベータの停止を禁止する。
【０００４】
また、テナントに所属する者が最初にテナントに入る場合（第１入館者）、警備設定装置を操作してテナントの警備状態を解除する。テナントの警備が解除されたことからフロアの不停止制御が解除され、エレベータが通常の通りフロアに停止するようになる。なお、エレベータの不停止制御は、特にエレベータ扉が各フロアの入口を兼ねている場合は、入口の鍵と同様に機能するので、重要性の高い手段となる。
【０００５】
【発明が解決しようとする課題】
しかしながら、上記したエレベータの不停止制御においては、テナントの最終退出者がテナントを出て１階に向かい、テナントを警備状態に設定するまでには、わずかながら時間がある。この間、エレベータの不停止制御は有効になっていないため、第三者が最終退出者とすれ違ってエレベータに乗り、フロアに入る可能性がある。
【０００６】
この後、短時間のうちに最終退出者が１階において所定の操作を行い、テナントを警備状態に設定する。このため、フロアに入った第三者はテナントに入れば警備センサによって検知され、警備会社に通報される。したがって、防犯の観点から問題はないものの、フロアに第三者が入ることに警備システムの利用者が不安を抱くことが懸念される。
【０００７】
また、テナントに所属する者が最終退出者とすれ違ってフロアに向かい、テナントに入った場合、正当な入室であるにもかかわらずこの者が警備センサに検知されて警備会社に通報がなされる。すると警備会社は、テナントに所属する者が自己の所属するテナントに入った場合にも通報に対処しなければならず、必要以上の負担を強いられることになる。
【０００８】
ところで、不停止制御がなされているエレベータは、不停止に設定されているフロアに向かわない。また、エレベータ籠の移動中に目的階が不停止に設定された場合、目的階への移動要求がキャンセルされてエレベータ籠が不停止に設定されていない別のフロアに停止する。このような場合、不停止制御がなされていることを知らない利用者は、自己の操作に反したエレベータの移動が行われることから、エレベータが故障しているものと考え、不安感を抱く可能性がある。
【０００９】
本発明は上記に鑑みてなされたもので、無人になったフロアに第三者が入ることをより確実に防ぎ、また、テナントに入る資格を持つ者が警備センサに検知されて誤報が発することを防ぎ、さらに不停止制御がなされていることを利用者に明瞭に示すことができるエレベータ不停止制御装置を提供することを目的とする。
【００１０】
【課題を解決するための手段】
以上の課題を解決するため、請求項１に記載の発明にかかるエレベータ不停止制御装置は、複数の階床を有する建物において、警備状態に設定された領域に該当する階床に対するエレベータの停止を禁止する不停止手段と共に設けられるエレベータ不停止制御装置であって、各階床の少なくとも一つに設置され、かつ、操作によって信号を出力する不停止操作手段と、前記不停止操作手段による信号の出力タイミングに基づいて、前記不停止手段によるエレベータの停止禁止を、操作された不停止操作手段の設置階床に対して有効にする操作不停止制御手段と、を備えることを特徴とする。
【００１１】
この請求項１に記載の発明によれば、操作不停止制御手段が、不停止操作手段が出力した信号の出力タイミングに基づいて、操作された不停止操作手段の設置階床に対するエレベータの停止禁止を有効にする。このため、不停止操作手段に信号を出力させるための操作タイミングで操作された不停止操作手段の設置階床をエレベータ不停止にすることができる。このため、最終退出者がフロアを出てテナントを警備状態に設定するまでの間にもフロアにエレベータが向かうことを禁じ、確実に無人になったフロアに第三者が入ることを防ぐことができる。また、テナントに入る資格を持つ者が最終退出者と入れ違いにフロアに入って警備センサに検知され、誤報が発することを防ぐことができる。
【００１２】
請求項２に記載の発明にかかるエレベータ不停止制御装置は、各階床に存在する領域を警備状態、または警備解除状態に設定する警備設定手段をさらに備え、前記操作不停止制御手段が、操作された前記不停止操作手段の設置階床を前記警備設定手段が警備状態に設定するまで該設置階床に対するエレベータの停止禁止を有効にすることを特徴とする。
【００１３】
この請求項２に記載の発明によれば、不停止操作手段の設置階床を警備設定手段が警備状態に設定するまで該設置階床に対するエレベータの停止禁止を有効にすることができる。このため、不停止操作手段の操作開始から警備開始までエレベータの不停止禁止が実現できる。
【００１４】
請求項３に記載の発明にかかるエレベータ不停止制御装置は、各階床に存在する領域を警備状態、または警備解除状態に設定する警備設定手段をさらに備え、前記操作不停止制御手段が、操作された前記不停止操作手段の設置階床の警備状態を前記警備設定手段が解除に設定するまで該設置階床に対するエレベータの停止禁止を有効にすることを特徴とする。
【００１５】
この請求項３に記載の発明によれば、操作不停止制御手段が、操作された不停止操作手段の設置階床の警備状態を警備設定手段が解除に設定するまで該設置階床に対するエレベータの停止禁止を有効にすることができる。このため、不停止操作手段の操作開始から警備解除までエレベータの不停止禁止が実現できる。
【００１６】
請求項４に記載の発明にかかるエレベータ不停止制御装置は、前記操作不停止制御手段が、前記不停止操作手段が操作された時点で計時を開始する計時手段をさらに備え、該計時手段が所定の時間の計時を終了するまで操作された前記不停止操作手段の設置階床に対するエレベータの停止禁止を有効にすることを特徴とする。
【００１７】
この請求項４に記載の発明によれば、操作不停止制御手段が、計時手段が所定の時間の計時を終了するまで操作された前記不停止操作手段の設置階床に対するエレベータの停止禁止を有効にすることができる。このため、不停止制御の有効期間を不停止制御手段単独で決定することができ、他の構成と信号を授受するための構成を略し、構成を簡易化することができる。
【００１８】
請求項５に記載の発明にかかるエレベータ不停止制御装置は、前記操作不停止制御手段によって有効とされたエレベータの停止禁止を無効にする操作を実行するためのリセット手段を各階床の少なくとも一つに設けることを特徴とする。
【００１９】
この請求項５に記載の発明によれば、いったん有効になった停止禁止を必要に応じて簡易にリセットし、エレベータ不停止制御装置の操作性を高めることができる。
【００２０】
請求項６に記載の発明にかかるエレベータ不停止制御装置は、エレベータが各階床の少なくとも一つに対する停止を禁止されていることを音声および画像の少なくとも一つによって表示する不停止制御表示手段をさらに備えることを特徴とする。
【００２１】
この請求項６に記載の発明によれば、エレベータが各階床の少なくとも一つに対する停止を禁止されていることをエレベータの利用者に明示することができる。
なお、前記不停止制御表示手段は、エレベータの入口近傍、エレベータ籠の少なくとも一つに設けるとよく、その場合、エレベータが各階床の少なくとも一つに対する停止を禁止されていることをエレベータの利用者により見やすい形式で明示することができる。
【００２２】
【発明の実施の形態】
以下に添付図面を参照して、この発明にかかるエレベータ不停止制御装置の好適な実施の形態を詳細に説明する。
【００２３】
（実施の形態１）
図１は、この発明の実施の形態１のエレベータ不停止制御装置を複数のフロアを持つ建物（ビル）に適用した状態を説明するための図である。不停止制御装置は、複数の階床の各々に対するエレベータの停止、不停止を制御するエレベータ制御装置である。
【００２４】
図示したビルは５階建てであり、各フロアに停止するエレベータ籠Ｅがある。各フロアにはエレベータＥを呼ぶ乗場ボタン１０７があり、エレベータ籠Ｅの内部にはエレベータ籠Ｅが向かう目的階を指定する行き先指定ボタン１１１がある。
【００２５】
各フロアには侵入者を検知するための警備センサ１０９が複数設けられていて、１階のエレベータ入口の近くに警備装置１０３がある。警備装置１０３には各フロアに存在する領域（テナント）を警備状態、または警備解除状態に設定する警備設定部（図２）が設けてある。フロアの最終退出は、警備設定部を用いて自身のテナントを警備状態に設定する。
【００２６】
また、エレベータには、警備設定部によって警備状態に設定されたテナントに該当するフロアに対するエレベータの停止を禁止する不停止手段として、制御装置１００が設けられている。実施の形態１の不停止制御装置は、制御装置１００と連動して動作するものである。そして、各フロアの少なくとも一つに設置され、かつ、制御装置１００に対して信号を出力する操作を実行するための不停止操作ボタン１０１と、不停止操作ボタン１０１が出力した信号の出力タイミングに基づいて、制御装置１００のエレベータの停止禁止を、操作された不停止操作ボタン１０１の設置階床に対して有効にする操作不停止制御装置１０５とを備えている。
【００２７】
なお、図１では、操作不停止制御装置１０５が制御装置１００と一体的に構成している。しかし、本発明のエレベータ不停止制御装置はこのような構成に限定されるものではない。操作不停止制御装置１０５は、不停止手段である制御装置１００と共に設けられるものであれば制御装置１００と別個に設けられるものであってもよく、さらに、制御装置１００に取りつけられるもの、制御装置１００と離れて設けられ、制御装置１００を遠隔操作するものであってもよい。なお、制御装置１００は、従来のエレベータ不停止制御装置と同様の構成である。
【００２８】
図２は、実施の形態１のエレベータ不停止制御装置の構成を説明するためのブロック図である。実施の形態１のエレベータ不停止制御装置の構成としては、以下に述べる▲１▼、▲２▼、▲３▼のパターンが考えられる。図２に示した操作不停止制御装置１０５は、後述する不停止解除のためのタイマ２０３を備えている。
【００２９】
▲１▼フロアの最終退出者が各フロアにおいて不停止操作ボタン１０１を操作すると、不停止操作ボタン１０１から信号ａ１が出力し、警備装置１０３の警備設定部２０２に入力する。警備設定部２０２は、信号ａ１の出力タイミングに応じ、直ちに不停止制御装置１０５に信号ａ２を出力する。操作不停止制御装置１０５は、信号ａ２の入力によって不停止操作ボタン１０１が操作されたフロアに対する制御装置１００のエレベータの停止禁止を有効にする。
【００３０】
▲２▼フロアの最終退出者が各フロアにおいて不停止操作ボタン１０１を操作すると、不停止操作ボタン１０１から信号ｂ１が出力し、直接操作不停止制御装置１０５に入力する。操作不停止制御装置１０５は、信号ｂ１の入力によって不停止操作ボタン１０１が操作されたフロアに対する制御装置１００のエレベータの停止禁止、つまり不停止制御を有効にする。
【００３１】
▲３▼さらに、不停止判断装置２０１を設けた場合、フロアの最終退出者が各フロアにおいて不停止操作ボタン１０１を操作すると、不停止操作ボタン１０１から信号ｃ１が出力し、不停止判断装置２０１に入力する。不停止判断装置２０１は、信号ｃ１の入力によって信号ｃ３を操作不停止制御装置１０５に出力する。そして、操作不停止制御装置１０５が、不停止操作ボタン１０１が操作されたフロアに対する制御装置１００のエレベータの不停止制御を有効にする。
【００３２】
また、▲３▼の構成にあっては、警備設定部２０２からフロア全体の警備が設定されたことを示す信号ｃ２が不停止判断装置２０１に出力する。不停止判断装置２０１は、例えば論理回路を用いて構成され、信号ｃ１だけを入力した場合に不停止操作ボタン１０１が操作されたフロアに対する制御装置１００のエレベータの不停止制御を有効にする。また、信号ｃ１に加えて信号ｃ２を入力した場合、操作不停止制御装置１０５によって有効にしたエレベータ不停止を解除する。（ただし、警備設定部２０２からの信号によりエレベータ不停止は継続される）このような不停止判断装置２０１は、例えばＯＲ回路を用いて構成することができる。
【００３３】
以上の構成は、以下のように動作する。すなわち、フロアの最終退出者は、フロアにおいて、不停止操作ボタン１０１を操作する。不停止操作ボタン１０１は操作によって信号を出力し、上記した▲１▼、▲２▼、▲３▼のいずれかの構成によって不停止制御装置１０５に入力し、制御装置１００による不停止制御を有効にする。行き先指定ボタン１１１のうち、不停止制御によってエレベータ籠Ｅの停止が禁止されたフロアが指定された場合、制御装置１００は行き先指定ボタン１１１による指定をキャンセルするなどの方法によってフロアに対するエレベータ籠Ｅの停止を禁止する。
【００３４】
また、実施の形態１では、不停止制御されたフロアから乗場ボタン１０７の操作によりエレベータ籠Ｅを呼ぶことが可能である。したがって、フロアの最終退出者は、不停止操作ボタン１０１の操作後にもエレベータ籠Ｅを呼び、１階に下りることができる。１階に降りた後、最終退出者は、警備設定部２０２に自身が所属するテナントを警備状態に設定する。設定によって同一フロアにあるテナントがすべて警備状態に設定された場合、制御装置１００によって従来と同様の不停止制御がなされる。
【００３５】
以上の構成によれば、フロアの最終退出者がエレベータに乗って１階に向かい、テナントを警備状態にするまでの間にもエレベータが無人のフロアに停止することを禁止することができる。このため、最終退出者とすれ違いに第三者が無人のフロアに侵入することを防ぐことができる。また、テナントに入る資格のある者がテナントに入室しようとする際、警備設定部２０２によって向かうべきテナントが警備状態に設定されていないことを確認してテナントに向かう場合にも、最終退出者とすれ違ってフロアに入ることがない。このため、実施の形態１のエレベータ不停止制御装置は、テナントに入る資格のある者を検知して誤報を発することも防ぐことができる。
【００３６】
さらに、テナントに所属する者は、警備設定手段において自身が所属するテナントの警備が設定されていないことを確認したにもかかわらず、エレベータがフロアに向かわない場合にテナントの最終退出者がまもなくフロアから退出することを知ることができる。したがって、最終退出者が１階に降りてくるのを待つ、あるいは最終退出者に連絡することによってフロアに入ることができる。
【００３７】
次に、実施の形態１の操作不停止制御装置によってなされた不停止制御の解除について説明する。図３、図４は、不停止操作ボタン１０１、警備設定部２０２による不停止制御と、その結果得られるエレベータの不停止制御の状態とを説明するためのタイミングチャートである。図３、図４において、▲１▼はフロアの最終退出者が不停止操作ボタン１０１を操作したタイミング、▲２▼は最終退出者が１階に降りて警備設定部２０２において自身が所属するテナントを警備状態に設定したタイミング、▲３▼は不停止制御の解除のタイミングを示す。
【００３８】
図３（ａ）は、実施の形態１のエレベータ不停止制御装置と比較するために示した従来のエレベータ停止制御のタイミングチャートである。従来のエレベータ不停止制御は、最終退出者が１階に降りて警備設定部２０２に自身が所属するテナントを警備状態に設定し、この設定によってフロアのすべてのテナントが警備状態に設定された場合、制御装置１００に相当する従来のエレベータ不停止制御装置が、エレベータの不停止制御を実行する。
【００３９】
なお、図３（ａ）のタイミングチャートでは、不停止制御は、フロアの第１入館者が自身の所属するテナントの警備を解除した時点で解除される。
【００４０】
図３（ｂ）、（ｃ）は、実施の形態１のエレベータ不停止制御のタイミングチャートを示している。図３（ｂ）では、操作不停止制御装置１０５は、不停止操作ボタン１０１が操作されたことによって不停止制御を有効にする。そして、フロア全体が警備状態になったことによって警備設定部２０２（および警備装置１０３）が不停止操作ボタン１０１の設置フロアを警備状態に設定するまでこのフロアに対するエレベータの不停止制御を有効にする。すなわち、図３（ａ）に示した例では、警備設定部２０２がフロアを警備状態にしたことを示す信号がトリガーとなり、操作不停止制御装置１０５が有効にした不停止制御を無効にする。
【００４１】
上記した処理によれば、操作不停止制御装置１０５がエレベータの不停止制御を解除した後に警備装置１０３が不停止制御を実行する。したがって、エレベータ籠Ｅは、不停止操作ボタン１０１が操作されてから警備装置１０３が不停止制御を実行し、解除するまでの間不停止制御される。
【００４２】
図３（ｃ）では、操作不停止制御装置１０５がエレベータの不停止制御を有効にするのと並行して警備装置１０３が不停止制御を実行する。このような方法によっても、エレベータ籠Ｅは、不停止操作ボタン１０１が操作されてから警備装置１０３が不停止制御を実行し、解除するまでの間不停止制御される。そして、操作不停止制御装置１０５は、警備設定部２０２が警備状態を解除に設定するまでこのフロアに対するエレベータの不停止制御を実行する。
【００４３】
図４（ａ）、（ｂ）は、実施の形態１のエレベータ不停止制御の他のタイミングチャートを示している。図４（ａ）に示したタイミングチャートでは、操作不停止制御装置１０５は、不停止操作ボタン１０１が操作されたことによって不停止制御を有効にする。そして、不停止操作ボタン１０１が操作された時点でタイマ２０３の計時を開始し、タイマ２０３が所定の時間の計時を終了するまで操作された不停止操作ボタン１０１の設置フロアに対するエレベータの不停止制御を有効にする。
【００４４】
タイマ２０３の計時時間は、最終退出者が不停止操作ボタン１０１を操作した後に１階に戻り、テナントを警備状態に設定するまでにかかる充分な時間に設定されている。このため、警備装置１０３は、タイマ２０３の計時が終了する以前、すなわち操作不停止制御装置１０５がいったん有効にした不停止制御を無効にする以前にエレベータの不停止制御を開始することができる。このため、エレベータ籠Ｅは、不停止操作ボタン１０１が操作されてから警備装置１０３が不停止制御を実行し、解除するまでの間不停止制御される。
【００４５】
なお、図４（ａ）に示した処理では、警備装置１０３は、不停止操作ボタン１０１の操作後、所定の時間内に警備装置１０３が警備を開始しなかった場合にフロアを警備状態に設定することがない。このため、エレベータ籠Ｅは、不停止操作ボタン１０１が操作されてから警備装置１０３が不停止制御を実行し、所定の時間の間だけ不停止制御される。図４（ｂ）の処理によれば、誤って不停止操作ボタン１０１を操作した場合にも所定の時間経過した時点でエレベータの不停止制御が自動的に無効になる。このため、不停止操作ボタン１０１の誤操作に簡単に対処することができる。
【００４６】
図５は、以上述べた実施の形態１のエレベータ不停止制御装置で行われる処理のうち、図３（ｂ）に示した処理を説明するためのフローチャートである。図示したフローチャートに示すように、操作不停止制御装置１０５は、不停止操作ボタン１０１による不停止の操作がなされたか否か判断する（ステップＳ５０１）。不停止の操作がなされたと判断されなかった場合には（ステップＳ５０１：Ｎｏ）、不停止操作ボタン１０１の操作がなされるまで待機する。
【００４７】
一方、不停止の操作がなされたと判断した場合（ステップＳ５０１：Ｙｅｓ）、不停止制御を開始する（ステップＳ５０２）。そして、警備装置１０３によって不停止操作ボタン１０１が操作されたフロアが警備状態に設定されたか否か判断する（ステップＳ５０３）。警備状態に設定されていない場合（ステップＳ５０３：Ｎｏ）、不停止制御を有効にしたまま待機する。また、フロアが警備状態に設定されたと判断した場合（ステップＳ５０３：Ｙｅｓ）、不停止操作ボタン１０１による不停止制御を解除し（ステップＳ５０４）、処理を終了する。
【００４８】
図６は、実施の形態１のエレベータ不停止制御装置で行われる処理のうち、図３（ｃ）に示した処理を説明するためのフローチャートである。図示したフローチャートでは、操作不停止制御装置１０５が、図５に示したフローチャートと同様に不停止制御を開始する（ステップＳ６０２）。そして、警備装置１０３によってなされた警備が解除されたか否か判断する（ステップＳ６０３）。警備が解除されていない場合（ステップＳ６０３：Ｎｏ）、不停止制御を有効にしたまま待機する。また、フロアの警備が解除されたと判断した場合（ステップＳ６０３：Ｙｅｓ）、不停止操作ボタン１０１による不停止制御を解除し（ステップＳ６０４）、処理を終了する。
【００４９】
図７は、実施の形態１のエレベータ不停止制御装置で行われる処理のうち、図４（ａ）に示した処理を説明するためのフローチャートである。図示したフローチャートでは、操作不停止制御装置１０５が、図５、図６に示したフローチャートと同様に不停止制御を開始する（ステップＳ７０２）。そして、タイマ２０３の計時をスタートさせ（ステップＳ７０３）、所定時間が経過するまで計時を継続する（ステップＳ７０４）。所定の時間が経過したと判断された場合（ステップＳ７０４：Ｙｅｓ）、操作不停止制御装置１０５は、不停止操作ボタン１０１の操作によって有効となった不停止制御を解除し（ステップＳ７０５）、処理を終了する。
【００５０】
（実施の形態２）
次に、本発明の実施の形態２を説明する。図８は、実施の形態２のエレベータ不停止制御装置を説明するための図である。なお、図８に示した構成のうち、図２に示した構成と同様の構成については同様の符号を付し、説明を一部略すものとする。
【００５１】
実施の形態２のエレベータ不停止制御装置は、実施の形態１のエレベータ不停止制御装置に加え、リセットボタン８０１を備えている。リセットボタン８０１は、操作不停止制御装置１０５によって有効とされたエレベータの不停止制御を無効にする操作を実行するための構成で、不停止操作ボタン１０１と同様に、各フロアの少なくとも一つに設けられる。リセットボタン８０１は、操作されることによって不停止操作ボタン１０１が出力した信号をキャンセルする信号を出力するものである。
【００５２】
図９は、実施の形態２のエレベータ制御装置でなされる処理のタイミングチャートを示す図である。図９では、操作不停止制御装置１０５は、不停止操作ボタン１０１が操作されたことによって不停止制御を有効にする。そして、リセットボタン８０１を入力したことによって不停止制御を無効にする。
【００５３】
図１０は、図９に示した処理を説明するためのフローチャートである。図示したフローチャートでは、操作不停止制御装置１０５が、図５〜７に示したフローチャートと同様に、不停止制御を開始する（ステップＳ１００２）。そして、リセット信号が入力したと判断した場合（ステップＳ１００３：Ｙｅｓ）、不停止制御を解除し（ステップＳ１００４）、処理を終了する。
【００５４】
以上述べた実施の形態２によれば、最終退出者が不停止操作ボタン１０１を操作した後、まだフロア内にいる場合、フロアに入る資格のある者からの連絡によって簡単に不停止制御を解除し、正規の入館者をフロアに入れることができる。
【００５５】
なお、本発明は、以上述べた実施の形態に限定されるものではない。すなわち、エレベータが各フロアの少なくとも一つに対して不停止制御されていることを音声および画像の少なくとも一つによって表示する不停止制御表示装置をさらに備えてもよい。不停止制御表示装置は、エレベータの入口近傍、エレベータ籠の少なくとも一つに設けられる。このため、利用者は、エレベータが目的階に向かわない、あるいは目的階に向かう途中で他のフロアに停止した場合にもエレベータが故障したのではなく、不停止制御がなされていることを認識することができる。
【００５６】
また、本発明のエレベータ不停止制御装置では、不停止制御表示手段として、図１に示す１階のエレベータ乗場付近に例えば電光掲示板を設け、「只今、○階はエレベータ不停止制御が実施されています。」といったメッセージを表示させるとよい。また、エレベータ籠Ｅ内にスピーカを設けておき、行き先指定ボタン１１１によりエレベータ不停止制御が実施されているフロアへの移動要求が行われた際、「そのフロアはエレベータ不停止制御が行われているため移動できません。」といったメッセージを流すとよい。さらに、エレベータが移動開始後にエレベータ不停止制御が開始された場合は「只今、エレベータ不停止制御が開始されましたので、○階には停止できません。エレベータを○階に停止させます。」等のメッセージを流すとよい。これらにより、エレベータ利用者に対して確実に状況を伝え、安心感を与えることができる。
【００５７】
また、以上述べた実施の形態では、不停止操作ボタン１０１をフロアの最終退出者が操作するものとして説明した。しかし、本発明はこのような構成に限定されるものでなく、例えば、不停止操作ボタン１０１にも各テナントの最終退出者がテナントが無人であることを設定する手段を設け、フロア全体で最後にテナントを退出した者がテナントが無人になったことを設定したタイミングで不停止操作ボタン１０１が信号を出力するようにすることもできる。
【００５８】
【発明の効果】
以上述べたように、請求項１に記載の発明は、最終退出者がフロアを出てテナントを警備状態に設定するまでの間にもフロアにエレベータが向かうことを禁じ、確実に無人になったフロアに第三者が入ることを防ぐことができる。また、テナントに入る資格を持つ者が最終退出者と入れ違いにフロアに入って警備センサに検知され、誤報が発することを防ぐことができる。
【００５９】
請求項２に記載の発明は、不停止操作手段の操作開始から警備開始までエレベータの不停止禁止が実現できる。このため、最終退出者がフロアを出てテナントを警備状態に設定するまでの間にもフロアにエレベータが向かうことを禁じ、確実に無人になったフロアに第三者が入ることを防ぐことができる。また、テナントに入る資格を持つ者が最終退出者と入れ違いにフロアに入って警備センサに検知され、誤報が発することを防ぐことができる。
【００６０】
請求項３に記載の発明は、不停止操作手段の操作開始から警備解除までエレベータの不停止禁止が実現できる。このため、最終退出者がフロアを出てテナントを警備状態に設定するまでの間にもフロアにエレベータが向かうことを禁じ、確実に無人になったフロアに第三者が入ることを防ぐことができる。また、テナントに入る資格を持つ者が最終退出者と入れ違いにフロアに入って警備センサに検知され、誤報が発することを防ぐことができる。
【００６１】
請求項４に記載の発明は、不停止制御の有効期間を不停止制御手段単独で決定することができ、他の構成と信号を授受するための構成を略し、構成が簡易なエレベータ不停止制御装置を提供することができる。
【００６２】
請求項５に記載の発明は、いったん有効になった停止禁止を必要に応じて簡易にリセットすることができ、操作性の高いエレベータ不停止制御装置を提供することができる。
【００６３】
請求項６に記載の発明は、エレベータが各階床の少なくとも一つに対する停止を禁止されていることをエレベータの利用者に明示することができる。このため、利用者により安心感を与えるエレベータ不停止制御装置を提供することができる。
【図面の簡単な説明】
【図１】本発明の実施の形態１のエレベータ不停止制御装置を複数のフロアを持つ建物に適用した状態を説明するための図である。
【図２】実施の形態１のエレベータ不停止制御装置の構成を説明するためのブロック図である。
【図３】実施の形態１の不停止操作ボタン、警備設定部による不停止制御と、その結果得られるエレベータの不停止制御の状態とを説明するためのタイミングチャートである。
【図４】実施の形態１の不停止操作ボタン、警備設定部による不停止制御と、その結果得られるエレベータの不停止制御の状態とを説明するための他のタイミングチャートである。
【図５】実施の形態１のエレベータ不停止制御装置で行われる処理を説明するためのフローチャートである。
【図６】実施の形態１のエレベータ不停止制御装置で行われる処理を説明するための他のフローチャートである。
【図７】実施の形態１のエレベータ不停止制御装置で行われる処理を説明するためのフローチャートである。
【図８】実施の形態２のエレベータ不停止制御装置の構成を説明するためのブロック図である。
【図９】実施の形態２の不停止操作ボタン、警備設定部による不停止制御と、その結果得られるエレベータの不停止制御の状態とを説明するためのタイミングチャートである。
【図１０】実施の形態２のエレベータ不停止制御装置で行われる処理を説明するためのフローチャートである。
【符号の説明】
１００　制御装置
１０１　不停止操作ボタン
１０３　警備装置
１０５　操作不停止制御装置
１０７　乗場ボタン
１０９　警備センサ
１１１　行き先指定ボタン
２０１　不停止判断装置
２０２　警備設定部
２０３　タイマ
【図１】
2004091139.tif 000003
【図２】
2004091139.tif 000004
【図３】
2004091139.tif 000005
【図４】
2004091139.tif 000006
【図５】
2004091139.tif 000007
【図６】
2004091139.tif 000008
【図７】
2004091139.tif 000009
【図８】
2004091139.tif 000010
【図９】
2004091139.tif 000011
【図１０】
2004091139.tif 000012